(57)【要約】【課題】柔軟性（肌に対する風合い）及び通気性等を損なわずに、尿等が吸収部材から外装材側に漏れ出すのを効果的に抑制できる使い捨て吸収性物品を提供する。【解決手段】外装材２と吸収部材３とを接合するホットメルト接着剤が塗布された複数の筋状塗布部４１の縦方向Ｙに沿った各幅のうち、股下部８ａに位置する筋状塗布部４１の幅が最も大きく設定されている。より具体的には、その複数の筋状塗布部４１の縦方向Ｙに沿った各幅は、吸収部材３の前後の縁部側から股下側にいくに従って段階的に大きくなるように設定されている。筋状塗布部４１へのホットメルト接着剤の塗布は接触塗布方式が採用される。脚用弾性部材１８，１９の股下部８ａに付与された部分が切断されて弱化されており、股下部８ａに位置する筋状塗布部４１が、脚用弾性部材１８，１９が切断されている外装材２の領域の少なくとも一部を覆っている。【選択図】図４
2008212278.tif 000002
【特許請求の範囲】
【請求項１】
外装材と、
前記外装材の肌面側に付与され、吸収体を有する吸収部材と、
塗布面に実質的に接触する塗工部によりホットメルト接着剤が塗布される接触塗布方式により、前記外装材及び前記吸収部材の両対向面のうちのいずれか一方に、当該吸収性物品を略平面状に展開したときに略横方向に沿って延びる筋状に前記ホットメルト接着剤が塗布されてなり、前記外装材と前記吸収部材とを接合する複数の筋状塗布部と、
を備え、
前記複数の筋状塗布部の当該吸収性物品の縦方向に沿った各幅のうち、股下部に位置する筋状塗布部の幅が最も大きく設定されていることを特徴とする使い捨て吸収性物品。
【請求項２】
請求項１に記載の使い捨て吸収性物品において、
前記複数の筋状塗布部の前記縦方向に沿った各幅は、前後の縁部側から股下側にいくに従って大きくなることを特徴とする使い捨て吸収性物品。
【請求項３】
請求項１又は請求項２に記載の使い捨て吸収性物品において、
前記外装材の左右の脚周りに位置する脚周り部から前記股下部にかけて付与された脚用弾性部材をさらに備え、
前記脚用弾性部材における前記股下部に付与された部分は、前記外装材に付与された状態で切断されて弱化させており、
前記複数の筋状塗布部のうちの股下部に位置する筋状塗布部が、前記脚用弾性部材が切断されている前記外装材の領域の少なくとも一部を覆っていることを特徴とする使い捨て吸収性物品。
【請求項４】
外装材と、
前記外装材の肌面側に付与され、吸収体を有する吸収部材と、
塗布面に実質的に接触する塗工部によりホットメルト接着剤が塗布される接触塗布方式により、前記外装材及び前記吸収部材の両対向面のうちのいずれか一方に、前記ホットメルト接着剤が筋状に塗布されてなり、前記外装材と前記吸収部材とを接合する複数の筋状塗布部と、
前記外装材及び前記吸収部材の両対向面のうちのいずれか他方における股下部の少なくとも一部に、前記ホットメルト接着剤が面状に塗布されてなり、前記外装材と前記吸収部材とを接合する面状塗布部と、
を備えることを特徴とする使い捨て吸収性物品。
【請求項５】
請求項４に記載の使い捨て吸収性物品において、
前記外装材の左右の脚周りに位置する脚周り部から前記股下部にかけて付与された脚用弾性部材をさらに備え、
前記脚用弾性部材における前記股下部に付与された部分は、前記外装材に付与された状態で切断されて弱化させており、
前記面状塗布部が、前記脚用弾性部材が切断されている前記外装材の領域の少なくとも一部を覆っていることを特徴とする使い捨て吸収性物品。
【請求項６】
請求項４又は請求項５に記載の使い捨て吸収性物品において、
前記面状塗布部に塗布される前記ホットメルト接着剤は、吸水性樹脂を含有していることを特徴とする使い捨て吸収性物品。
【発明の詳細な説明】
【技術分野】
【０００１】
本発明は、使い捨て吸収性物品に関する。
【背景技術】
【０００２】
従来の使い捨て吸収性物品として、外装材と、その肌面側に付与される吸収部材とを、ストライプ状に間欠塗工された接着剤により接合したものがある（特許文献１）。これによって、この吸収性物品では、肌に対して優しい風合いやムレ防止等を図っている。
【０００３】
しかし、この従来技術では、吸収部材と外装材との接合面における前後方向の全域に亘って一定の塗布幅で接着剤の筋状塗布部が設けられる構成であるため、着座姿勢時等に体重がかかりやすい股下部では、吸収部材から漏れた尿等が股下部で筋状塗布部間の隙間から外装材側に漏れ出すおそれがある。その対策として、全体的に接着剤の筋状塗布部の塗布幅を大きくする方法が考えられるが、筋状塗布部の塗布幅を大きくすると、肌に対する風合い及び通気性等が損なわれるおそれがある。
【０００４】
例えば、特許文献２のように、股下部で脚用弾性部材を切断して脚用弾性部材の収縮力を弱化させたものでは、脚用弾性部材の切断処理が施された外装材の部分の防水性能が低下する場合がある。このような場合において、尿等が吸収部材から外装材側に漏れ出すと、その尿等が防水性能が低下した外装材の股下部を介して外部に漏れ出すおそれがある。
【特許文献１】特開２００５−  ９５２６１号公報
【特許文献２】特開２００４−１６７０４３号公報
【発明の開示】
【発明が解決しようとする課題】
【０００５】
そこで、本発明の解決すべき課題は、柔軟性（肌に対する風合い）及び通気性等を損なわずに、尿等が吸収部材から外装材側に漏れ出すのを効果的に抑制できる使い捨て吸収性物品を提供することである。
【課題を解決するための手段】
【０００６】
上記の課題を解決するため、請求項１の発明では、外装材と、前記外装材の肌面側に付与され、吸収体を有する吸収部材と、塗布面に実質的に接触する塗工部によりホットメルト接着剤が塗布される接触塗布方式により、前記外装材及び前記吸収部材の両対向面のうちのいずれか一方に、当該吸収性物品を略平面状に展開したときに略横方向に沿って延びる筋状に前記ホットメルト接着剤が塗布されてなり、前記外装材と前記吸収部材とを接合する複数の筋状塗布部とを備え、前記複数の筋状塗布部の当該吸収性物品の縦方向に沿った各幅のうち、股下部に位置する筋状塗布部の幅が最も大きく設定されている。
【０００７】
また、請求項２の発明では、請求項１の発明に係る使い捨て吸収性物品において、前記複数の筋状塗布部の前記縦方向に沿った各幅は、前後の縁部側から股下側にいくに従って大きくなる。
【０００８】
また、請求項３の発明では、請求項１又は請求項２の発明に係る使い捨て吸収性物品において、前記外装材の左右の脚周りに位置する脚周り部から前記股下部にかけて付与された脚用弾性部材をさらに備え、前記脚用弾性部材における前記股下部に付与された部分は、前記外装材に付与された状態で切断されて弱化させており、前記複数の筋状塗布部のうちの股下部に位置する筋状塗布部が、前記脚用弾性部材が切断されている前記外装材の領域の少なくとも一部を覆っている。
【０００９】
また、請求項４の発明では、外装材と、前記外装材の肌面側に付与され、吸収体を有する吸収部材と、塗布面に実質的に接触する塗布面に実質的に接触した塗工部によりホットメルト接着剤が塗布される接触塗布方式により、前記外装材及び前記吸収部材の両対向面のうちのいずれか一方に、前記ホットメルト接着剤が筋状に塗布されてなり、前記外装材と前記吸収部材とを接合する複数の筋状塗布部と、前記外装材及び前記吸収部材の両対向面のうちのいずれか他方における股下部の少なくとも一部に、前記ホットメルト接着剤が面状に塗布されてなり、前記外装材と前記吸収部材とを接合する面状塗布部とを備える。
【００１０】
また、請求項５の発明では、請求項４の発明に係る使い捨て吸収性物品において、前記外装材の左右の脚周りに位置する脚周り部から前記股下部にかけて付与された脚用弾性部材をさらに備え、前記脚用弾性部材における前記股下部に付与された部分は、前記外装材に付与された状態で切断されて弱化させており、前記面状塗布部が、前記脚用弾性部材が切断されている前記外装材の領域の少なくとも一部を覆っている。
【００１１】
また、請求項６の発明では、請求項４又は請求項５の発明に係る使い捨て吸収性物品において、前記面状塗布部に塗布される前記ホットメルト接着剤は、吸水性樹脂を含有している。
【発明の効果】
【００１２】
請求項１に記載の発明によれば、外装材と吸収部材とを接合するホットメルト接着剤が塗布された複数の筋状塗布部の当該吸収性物品の縦方向に沿った各幅のうち、股下部に位置する筋状塗布部の幅が最も大きく設定されている。それ故、着座時等に体重がかかりやすく漏れ等が生じやすい股下部において、接着剤の筋状塗布部の塗布幅を他の領域の筋状塗布部の塗布幅よりも大きくするとことにより、尿等が吸収部材から外装材側に漏れ出すのを接着剤の筋状塗布部により効果的に遮ることができる。その結果、全体的なホットメルト接着剤の塗布面積や塗布量を抑制して吸収性物品の柔軟性（肌に対する風合い）及び通気性等を損なわずに、尿等が吸収部材から外装材側に漏れ出すのを効果的に抑制できる。
【００１３】
また、外装材と吸収部材とを接合するホットメルト接着剤が接触塗布方式により塗布されるため、スパイラルスプレー塗布方式等のように塗布処理時にホットメルト接着剤が飛散して製品や製造ラインの不必要な部分に付着して、製品の品質が低下したり、製造ラインのメンテナンスの負荷が増大するのを防止することができる。
【００１４】
また、筋状塗布部のパターン（塗布幅、隙間間隔及びそれらの分布等）は、例えば塗工ヘッド部のストライプ状の塗布パターンを規定するための櫛刃状部材等を交換するだけで容易に変更することができるため、筋状塗布部のパターンの変更等に容易に対応することができる。
【００１５】
請求項２に記載の発明によれば、外装材と吸収部材とを接合するホットメルト接着剤が塗布された複数の筋状塗布部の縦方向に沿った各幅は、前後の縁部側から股下側にいくに従って大きくなるように設定されている。それ故、着座時等に体重がかかりやすく漏れ等が生じやすい股下部の近くに位置する部分ほどホットメルト接着剤の筋状塗布部の塗布幅を大きくすることにより、吸収性物品の柔軟性及び通気性等を保持しつつ、股下部及びその周辺にて尿等が吸収部材から外装材側に漏れ出すのを接着剤の筋状塗布部によってより効果的に遮ることができる。
【００１６】
請求項３に記載の発明によれば、脚用弾性部材の股下部に付与された部分が切断されて弱化されているため、脚用弾性部材の締め付けが強すぎて着用感が損なわれたり、脚用弾性部材の収縮により吸収部材の吸収体によじれが生じる等の不都合を回避できる。
【００１７】
また、外装材と吸収部材とを接合するホットメルト接着剤の複数の筋状塗布部のうちの股下部に位置する筋状塗布部が、脚用弾性部材が切断されている外装材の領域の少なくとも一部を覆っている。それ故、脚用弾性部材の切断処理が施された外装材の部分の防水性能が低下している場合であっても、その部分に設けらたホットメルト接着剤の筋状塗布部により、脚用弾性部材が切断された外装材の部分を介して尿等が外部に漏れるのを抑制できる。
【００１８】
請求項４に記載の発明によれば、外装材及び吸収部材の対向面のほぼ全域に、ホットメルト接着剤が筋状に塗布された複数の筋状塗布部が設けられ、着座時等に体重がかかりやすく漏れ等が生じやすい股下部については、その筋状塗布部に加えてホットメルト接着剤が面状に塗布された面状塗布部が追加された構成である。それ故、全体的なホットメルト接着剤の塗布面積や塗布量を抑制して吸収性物品の柔軟性（肌に対する風合い）及び通気性等を維持しつつ、股下部において尿等が吸収部材から外装材側に漏れ出すのを効果的に遮ることができる。特に、外装材及び吸収部材の両対向面における股下部以外の部分については、ホットメルト接着剤を筋状の間欠塗工する構成であるため、良好な通気性等が得られる。
【００１９】
また、外装材と吸収部材とを接合するための筋状塗布部において、ホットメルト接着剤が接触塗布方式により塗布されるため、スパイラルスプレー塗布方式等のように塗布処理時にホットメルト接着剤が飛散して製品や製造ラインの不必要な部分に付着して、製品の品質が低下したり、製造ラインのメンテナンスの負荷が増大するのを防止することができる。
【００２０】
また、筋状塗布部のパターン（塗布幅、隙間間隔及びそれらの分布等）は、例えば塗工ヘッド部のストライプ状の塗布パターンを規定するための櫛刃状部材等を交換するだけで容易に変更することができるため、筋状塗布部のパターンの変更等に容易に対応することができる。
【００２１】
請求項５に記載の発明によれば、脚用弾性部材の股下部に付与された部分が切断されて弱化されているため、脚用弾性部材の締め付けが強すぎて着用感が損なわれたり、脚用弾性部材の収縮により吸収部材の吸収体によじれが生じる等の不都合を回避できる。
【００２２】
また、外装材と吸収部材とを接合するホットメルト接着剤の面状塗布が、脚用弾性部材が切断されている外装材の領域の少なくとも一部を覆っている。それ故、脚用弾性部材の切断処理が施された外装材の部分の防水性能が低下している場合であっても、その部分に設けらたホットメルト接着剤の面状塗布部により、脚用弾性部材が切断された外装材の部分を介して尿等が外部に漏れるのを抑制できる。
【００２３】
請求項６に記載の発明によれば、外装材と吸収部材との対向面における股下部に設けられる面状塗布部には、吸水性樹脂を含有したホットメルト接着剤が塗布されるため、面状塗布部に塗布されたホットメルト接着剤に吸収部材から漏れ出した尿等を吸収させることができ、その結果、吸収部材から漏れ出した尿等が外装材の股下部から外部に漏れ出すのをより確実に防止できる。
【００２４】
また、吸水樹脂を含有したホットメルト接着剤は股下部のみの使用で済むため、吸収性物品の製造コストを抑制できる。
【発明を実施するための最良の形態】
【００２５】
［第１実施形態］
図１は本発明の第１実施形態に係る使い捨て吸収性物品（以下、単に「吸収性物品」という）の正面図であり、図２は図１の吸収性物品において左右のサイド接合部を展開した状態を示す図であり、図３は図２のＡ−Ａ線に沿った断面構造を模式的に示す図である。なお、本明細書において前後左右というときは着用者を基準としており、例えば、その着用者の左手側を左、右手側を右と呼んでいる。また、吸収性物品１の縦方向Ｙ（図２参照）とは吸収性物品１の上下又は前後方向に対応した方向をいい、吸収性物品１の横方向Ｘ（図２参照）とは吸収性物品１の左右方向に対応した方向をいう。
【００２６】
この吸収性物品１は、図１ないし図３に示すように、この吸収性物品１の外側に設けられる外装材２と、外装材２の肌面側に接合される吸収部材３とを備えている。
【００２７】
外装材２は、着用者の前腹部、後背部及び股部にそれぞれあてがわれる前部６、後部７及び股部８を備えている。なお、ここでは外装材２が前部６、後部７及び股部８に渡って一体に構成された例について示したが、外装材２が前側の部分と後側の部分とが股部で分断されて別々の部材として構成されていてもよい。
【００２８】
外装材２の前部６の左右の縁部６ａと後部７の左右の縁部７ａとは、互いに向き合った状態で所定の接合手段により接合され、これによって左右のサイド接合部９が形成されている。このため、この吸収性物品１は、ウエスト用開口部１１と、左右の脚用開口部１２Ｌ，１２Ｒを有するパンツ型の構成を有している。サイド接合部９の接合手段としては、超音波溶着、加熱溶着、接着剤（例えば、ホットメルト接着剤）による接着等のいずれか一つ又はそれの複数の組み合わせ等により行われる。
【００２９】
吸収部材３は、外装材２のほぼ股部８に対応する部分の肌面側にホットメルト接着剤を用いて接合されている。このホットメルト接着剤の塗布形態については、後に詳述する。なお、変形例として吸収部材３の前後の端縁部の上から押さえシートを外装材２の肌面側に貼着するようにしてもよい。
【００３０】
外装材２の前部６の上縁部には、その上縁部に沿ってウエスト用弾性部材１６が伸張された状態で付与されている。また、後部７の上縁部には、その上縁部に沿ってウエスト用弾性部材１７が伸張された状態で付与されている。また、股部８の脚用開口部１２Ｌ，１２Ｒを形成する左右の縁部には、その縁部に沿って脚用弾性部材１８，１９が伸張された状態で付与されている。また、前部６の左右の着用者の胴周りに位置する部分（前部６の縦方向Ｙの中間部）には、横方向Ｘに沿ってボディ用弾性部材２０が伸張された状態で付与されている。また、後部７における着用者の胴周りに位置する部分（後部７の縦方向Ｙの中間部）には、横方向Ｘに沿ってボディ用弾性部材２１が伸張された状態で付与されている。
【００３１】
外装材２は、不織布からなる２枚のシート材２６,２７（図３参照）の間に、弾性部材１６〜２１を挟み込んで構成されている。シート材２６，２７同士の接合及び弾性部材１６〜２１のシート材２６，２７への接合は、接着剤（例えば、ホットメルト接着剤）、熱溶着、超音波溶着等の接合手段を用いて行われる。なお、本実施形態では両シート材２６，２７は同じ平面形状を有しているが、互いに異なる平面形状としてもよい。また、本実施形態ではシート材２６，２７の少なくともいずれか一方は撥水性のものを使用しているが、両シート材２６，２７ともに親水性ものを使用してもよい。
【００３２】
吸収部材３は、着用者の排泄物を吸収する吸収体３１が備えられた本体部３２と、その本体部３２に設けられた左右の起立部３３とを備えて構成されている。本体部３２は、吸収体３１を図示しない撥水性又は不透液性のバックシートと透液性のトップシートとによって挟み込んで構成されている。起立部３３の自由端部には１又は複数の起立用弾性部材３４が伸張された状態で付与されており、この起立用弾性部材３４の収縮力によって、起立部３３が着用者の肌面側に立ち上がり、肌面にフィットするようになっている。
【００３３】
また、この吸収性物品１では、脚用弾性部材１８，１９は外装材２の左右の脚周り部２ａから股下部８ａにかけて連続的に付与された後、弾性部材１８，１９の股下部８ａに位置する部分にて、弾性部材１８，１９を短く切断して弱化させる弱化処理が施されている。このように、弾性部材１８，１９の股下部８ａに付与された部分が弱化されているので、弾性部材１８，１９の締め付けが強すぎて着用感が損なわれたり、弾性部材１８，１９の収縮により吸収部材３の吸収体３１によじれが生じる等の不都合を回避できるようになっている。
【００３４】
図４は、外装材２と吸収部材３とを接合するホットメルト接着剤の塗工部の構成を示す図である。なおこの図４では、図示の便宜上、弾性部材１６〜２１等を省略している（後述の図１０につていも同様）。
【００３５】
本実施形態では、図４に示すように、外装材２及び吸収部材３の両対向面のうちのいずれか一方（例えば、外装材２の吸収部材３との対向面）に、この吸収性物品１を略平面状に展開したときに略横方向Ｘに沿って延びる筋状にホットメルト接着剤が塗布されてなる複数の筋状塗布部４１が設けられ、この複数の筋状塗布部４１によって吸収部材３が外装材２に接合されている。このようにホットメルト接着剤を筋状に間欠塗布することにより、吸収性物品１の柔軟性（肌に対する風合い）及び通気性等が向上するようになっている。
【００３６】
このようなストライプ状に設けられた複数の筋状塗布部４１の縦方向Ｙに沿った各幅のうち、股下部８ａに位置する筋状塗布部４１の幅が最も大きく設定されている。より具体的には、複数の筋状塗布部４１の縦方向Ｙに沿った各幅は、吸収部材３の前後の縁部側から股下側にいくに従って段階的に大きくなっている。図５（ａ）は前後の端縁部の筋状塗布部４１の構成を示す図であり、図５（ｂ）は股下部８ａの筋状塗布部４１の構成を示す図である。前後の端縁部における筋状塗布部４１の縦方向Ｙの幅Ｗａの最小値は、例えば約０．５〜約５ｍｍの範囲内（具体的な数値例としては、例えば約１ｍｍ）に設定され、股下部８ａにおける筋状塗布部４１の縦方向Ｙの幅Ｗａの最大値は、例えば約３０〜約１３０ｍｍの範囲内（具体的な数値例としては、例えば約５０ｍｍ）に設定される。また、縦方向Ｙに沿った各筋状塗布部４１間の隙間部の幅Ｗｂは、例えば約０．５〜約１０ｍｍの範囲内で一定の値（具体的な数値例としては、例えば約１ｍｍ）に設定される。なお、変形例として、各筋状塗布部４１間の隙間部の幅Ｗｂを吸収性物品１内の場所によって変化させるようにしてもよい。また、吸収部材３の前後の端縁部については、剥離防止等のために例外的に、幅広の塗布幅でホットメルト接着剤が塗布されるようにしてもよい。
【００３７】
また、本実施形態では、図６に示すように、複数の筋状塗布部４１のうちの股下部８ａに位置する筋状塗布部４１が、脚用弾性部材１８，１９が短く切断されている外装材２の領域の少なくとも一部（好ましくは全域）を覆っている。
【００３８】
ここで、脚用弾性部材１８，１９の切断処理について説明する。脚用弾性部材１８，１９の切断処理は、図７に示すように、前工程で形成された外装材連続体５１に対して行われる。この外装材連続体５１は、外装材２を構成するための材料が吸収性物品１を基準として横方向Ｘに連続的に連なってなるものであり、シート材２６，２７の連続体の間に、弾性部材１６〜２１が連続的に連なった状態で挟み込まれて構成されている。具体的には、例えば図７に示すように、カッターとして機能する刃ロール５２とアンビルロール５３との間に、所定の搬送方向Ｂ１に搬送される外装材連続体５１の股下部８ａに対応する部分を通すことにより行われる。ロール５２の外周には複数の刃５２ａが設けられており、外装材連続体５１の通過に伴ってその刃５２ａが外装材連続体５１に当てられ、外装材連続体５１の股下部８ａに対応する部分に付与された弾性部材１８，１９が、刃ロール５２の刃５２ａにより短く切断されて弱化される。なお、弾性部材１８，１９の切断は刃ロール５２等を用いた構成に限らず、外装材２の弾性部材１８，１９が付与された部分を加圧部により加圧して切断するようにしてもよい。
【００３９】
このような脚用弾性部材１８，１９に対する切断処理により、弾性部材１８，１９の切断処理が施された外装材２の領域では、刃ロール５２の刃５２ａが外装材２に当てられるため、小さな亀裂や孔等が生じ、防水性能が低下する。
【００４０】
そこで、本実施形態では、脚用弾性部材１８，１９が短く切断されている外装材２の領域の少なくとも一部（好ましくは全域）を、股下部８ａに位置する筋状塗布部４１で覆うことによって、弾性部材１８，１９が切断された外装材２の領域での防水を図っている。
【００４１】
次に、筋状塗布部４１へのホットメルト接着剤の塗布工程について説明する。筋状塗布部４１へのホットメルト接着剤の塗布は、接触塗布方式により行われる。この接触塗布方式では、図８に示すように、所定の搬送方向Ｂ２に搬送される塗布対象５５（本実施形態では、外装材２又は吸収部材３）の塗布面に実質的に接触した塗工部としての塗工ヘッド部５６により塗布が行われる。なお、この「塗布面に塗工ヘッド部５６が実質的に接触する」とは、塗工ヘッド部５６が塗布面に接触した状態でホットメルト接着剤５７が塗布される状態と、塗工ヘッド部５６と塗布面にわずかな隙間が空けられた状態でホットメルト接着剤５７が塗布される状態とを含む概念である。
【００４２】
塗工ヘッド部５６内に形成されたホットメルト接着の流路内には、図９に示すような櫛刃状部材５８が挟み込まれている。この櫛刃状部材５８には、筋状塗布部４１のパターン（塗布幅、隙間間隔及びそれらの分布等）に対応した複数のスリット５８ａが設けられている。所定の供給管路等を介して塗工ヘッド部５６内に供給されたホットメルト接着剤５７は、櫛刃状部材５８のスリット５８ａ内に導入され、塗工ヘッド部５６の先端部にて各スリット５８ａの下端から塗布面上に押し出されて筋状に塗布される。例えば筋状塗布部４１のパターンの変更は、櫛刃状部材５８の種類等を交換することにより簡単に行えるようになっている。
【００４３】
以上のように、本実施形態によれば、外装材２と吸収部材３とを接合するホットメルト接着剤が塗布された複数の筋状塗布部４１の縦方向Ｙに沿った各幅のうち、股下部８ａに位置する筋状塗布部４１の幅が最も大きく設定されている。より具体的には、その複数の筋状塗布部４１の縦方向Ｙに沿った各幅は、吸収部材３の前後の縁部側から股下側にいくに従って段階的に大きくなるように設定されている。それ故、着座時等に体重がかかりやすく漏れ等が生じやすい股下部８ａの近くに位置する部分ほどホットメルト接着剤の筋状塗布部４１の塗布幅を大きくすることにより、吸収性物品１の柔軟性及び通気性等を保持しつつ、股下部８ａ及びその周辺にて尿等が吸収部材３から外装材２側に漏れ出すのを接着剤の筋状塗布部４１によって効果的に遮ることができる。
【００４４】
また、外装材２と吸収部材３とを接合するホットメルト接着剤が接触塗布方式により塗布されるため、スパイラルスプレー塗布方式等のように塗布処理時にホットメルト接着剤が飛散して製品や製造ラインの不必要な部分に付着して、製品の品質が低下したり、製造ラインのメンテナンスの負荷が増大するのを防止することができる。
【００４５】
また、筋状塗布部４１のパターン（塗布幅、隙間間隔及びそれらの分布等）は、例えば塗工ヘッド部５６のストライプ状の塗布パターンを規定するための櫛刃状部材５８等を交換するだけで容易に変更することができるため、筋状塗布部４１のパターンの変更等に容易に対応することができる。
【００４６】
また、脚用弾性部材１８，１９の股下部８ａに付与された部分が短く切断されて弱化されているため、脚用弾性部材１８，１９の締め付けが強すぎて着用感が損なわれたり、脚用弾性部材１８，１９の収縮により吸収部材３の吸収体３１によじれが生じる等の不都合を回避できる。
【００４７】
また、複数の筋状塗布部４１のうちの股下部８ａに位置する筋状塗布部４１が、脚用弾性部材１８，１９が短く切断されている外装材２の領域の少なくとも一部を覆っている。それ故、脚用弾性部材１８，１９の切断処理が施された外装材２の部分の防水性能が低下している場合であっても、その部分に設けらたホットメルト接着剤の筋状塗布部４１により、脚用弾性部材１８，１９が切断された外装材２の部分を介して尿等が外部に漏れるのを抑制できる。
【００４８】
［第２実施形態］
図１０は本発明の第２実施形態に係る吸収性物品における外装材と吸収部材とを接合するホットメルト接着剤の塗工部の構成を示す図であり、図１１は図１０の吸収性物品の股下部の断面構成を模式的に示す図である。本実施形態に係る吸収性物品１ａが上述の第１実施形態に係る吸収性物品１と実質的に異なる点は、外装材２と吸収部材３とを接合するためのホットメルト接着剤の塗布形態のみであり、互いに対応する部分には同一の参照符号を伏して説明の重複を回避する。
【００４９】
本実施形態では、図１０及び図１１に示すように、ホットメルト接着剤が筋状に塗布された複数の筋状塗布部６１と、ホットメルト接着剤が股下部８ａにて面状に塗布された１つの面状塗布部６２とによって、外装材２と吸収部材３とが接合さている。
【００５０】
複数の筋状塗布部６１は、この吸収性物品１を略平面状に展開したときに略横方向Ｘに沿って延びる筋状にホットメルト接着剤が塗布されて形成されている。この筋状塗布部６１へのホットメルト接着剤の塗布は、第１実施形態の筋状塗布部４１の場合と同様に接触塗布方式により行われる。このようにホットメルト接着剤を筋状に間欠塗布することにより、吸収性物品１ａの柔軟性（肌に対する風合い）及び通気性等が向上するようになっている。
【００５１】
より詳細には、複数の筋状塗布部６１の塗布幅及びそれの間隔は、吸収部材３の縦方向Ｙの全域においてほぼ一定に設定されている。例えば、筋状塗布部６１の縦方向Ｙの塗布幅は、例えば約０．５〜約５ｍｍの範囲内（具体的な数値例としては、例えば約１ｍｍ）に設定され、筋状塗布部６１間の間隔は、例えば約０．５〜約１０ｍｍの範囲内（具体的な数値例としては、例えば約１ｍｍ）に設定されている。なお、変形例として、筋状塗布部６１の塗布幅及び間隔を吸収性物品１内の場所によって変化させるようにしてもよい。例えば、吸収部材３の前後の端縁部については、剥離防止等のために例外的に、幅広の塗布幅でホットメルト接着剤が塗布されるようにしてもよい。
【００５２】
また、本実施形態では、複数の筋状塗布部６１を横方向Ｘに沿って延びるように形成したが、変形例として、複数の筋状塗布部６１を縦方向Ｙに沿って延びるように形成してもよい。
【００５３】
また、面状塗布部６２は、外装材２及び吸収部材３の両対向面のうちのいずれか他方（例えば、吸収部材３の外装材２との対向面）における股下部８ａの少なくとも一部に、ホットメルト接着剤が面状に塗布されて形成されている。この面状塗布部６２へのホットメルト接着剤の塗布については、第１実施形態の筋状塗布部４１の場合と同様な接触塗布方式を採用してもよく、他の塗布方式を採用してもよい。
【００５４】
また、この面状塗布部６２は、股下部８ａの防水性能の向上を図るべく、図１２に示すように、脚用弾性部材１８，１９が短く切断されている外装材２の領域の少なくとも一部を覆うように形成されているとともに、塗布されるホットメルト接着剤として吸水性樹脂を含有したものが用いられている。
【００５５】
ここで、面状塗布部６２の形状及び寸法等について具体例を挙げて説明する。面状塗布部６２は、略四角状（正方形及び長方形を含む）の平面形状を有し、縦方向Ｙ及び横方向Ｘに沿った各辺の寸法（長さ）が、約３０〜約１３０ｍｍの範囲内のいずれかの値、より好ましくは、約６０〜約１００ｍｍの範囲内のいずれかの値に設定される。あるいは、面状塗布部６２の形成位置及び寸法を、面状塗布部６２が脚用弾性部材１８，１９が短く切断されている外装材２の領域の全域を完全に覆うように（あるいは、ほぼ全域を覆うように）設定するようにしてもよい。
【００５６】
以上のように、本実施形態によれば、外装材及２び吸収部材３の対向面のほぼ全域に、ホットメルト接着剤が筋状に塗布された複数の筋状塗布部６１が設けられ、着座時等に体重がかかりやすく漏れ等が生じやすい股下部８ａについては、その筋状塗布部６１に加えてホットメルト接着剤が面状に塗布された面状塗布部６２が追加された構成である。それ故、全体的なホットメルト接着剤の塗布面積や塗布量を抑制して吸収性物品１の柔軟性（肌に対する風合い）及び通気性等を維持しつつ、股下部８ａにおいて尿等が吸収部材３から外装材２側に漏れ出すのを効果的に遮ることができる。特に、外装材２及び吸収部材３の両対向面における股下部８ａ以外の部分については、ホットメルト接着剤を筋状の間欠塗工する構成であるため、良好な通気性等が得られる。
【００５７】
また、筋状塗布部６１についてはホットメルト接着剤が接触塗布方式により塗布されるため、スパイラルスプレー塗布方式等のように塗布処理時にホットメルト接着剤が飛散して製品や製造ラインの不必要な部分に付着して、製品の品質が低下したり、製造ラインのメンテナンスの負荷が増大するのを防止することができる。
【００５８】
また、筋状塗布部６１のパターン（塗布幅、隙間間隔及びそれらの分布等）は、例えば塗工ヘッド部のストライプ状の塗布パターンを規定するための櫛刃状部材等を交換するだけで容易に変更することができるため、筋状塗布部６１のパターンの変更等に容易に対応することができる。
【００５９】
また、脚用弾性部材１８，１９の股下部８ａに付与された部分が短く切断されて弱化されているため、脚用弾性部材１８，１９の締め付けが強すぎて着用感が損なわれたり、脚用弾性部材１８，１９の収縮により吸収部材３の吸収体３１によじれが生じる等の不都合を回避できる。
【００６０】
また、面状塗布部６２が、脚用弾性部材１８，１９が短く切断されている外装材２の領域の少なくとも一部を覆っている。それ故、脚用弾性部材１８，１９の切断処理が施された外装材２の部分の防水性能が低下している場合であっても、その部分に設けらたホットメルト接着剤の面状塗布部６２により、脚用弾性部材１８，１９が切断された外装材２の部分を介して尿等が外部に漏れるのを抑制できる。
【００６１】
また、外装材２と吸収部材３との対向面における股下部８ａに設けられる面状塗布部６２には、吸水性樹脂を含有したホットメルト接着剤が塗布されるため、面状塗布部６２に塗布されたホットメルト接着剤に吸収部材３から漏れ出した尿等を吸収させることができ、その結果、吸収部材３から漏れ出した尿等が外装材２の股下部８ａから外部に漏れ出すのをより確実に防止できる。
【００６２】
また、吸水樹脂を含有したホットメルト接着剤は股下部８ａのみの使用で済みため、吸収性物品１の製造コストを抑制できる。
【００６３】
なお、上述の第１及び第２実施形態に係る吸収性物品１，１ａはパンツ型のものであるが、上述の各実施形態に係る技術をテープ型の使い捨ておむつに適用してもよく、あるいはパンツ・おむつ共用型の使い捨て吸収性物品に適用してもよい。なお、パンツ・おむつ共用型の使い捨て吸収性物品とは、腰周りの部分を破断するための破断部と、破断後の再締結用の締結部材とを有し、破断部を破断しないときはパンツ型の構成となり、破断部を破断したときはテープ型の構成となるものをいう。
【図面の簡単な説明】
【００６４】
【図１】本発明の第１実施形態に係る使い捨て吸収性物品の正面図である。
【図２】図１の使い捨て吸収性物品において左右のサイド接合部を展開した状態を示す図である。
【図３】図２のＡ−Ａ線に沿った断面構造を模式的に示す図である。
【図４】外装材と吸収部材とを接合するホットメルト接着剤の塗工部の構成を示す図である。
【図５】（ａ）は前後の端縁部の筋状塗布部の構成を示す図であり、（ｂ）は股下部の筋状塗布部の構成を示す図である。
【図６】図４の股下部の構成を拡大して示す図である。
【図７】脚用弾性部材の切断工程を示す図である。
【図８】ホットメルト接着剤を塗布する塗工ヘッド部の断面構成及びそれによる塗布工程を示す図である。
【図９】図８の塗工ヘッド部に備えられる櫛刃状部材の要部構成を示す図である。
【図１０】本発明の第２実施形態に係る使い捨て吸収性物品における外装材と吸収部材とを接合するホットメルト接着剤の塗工部の構成を示す図である。
【図１１】図１０の使い捨て吸収性物品の股下部の断面構成を模式的に示す図である。
【図１２】図１０の股下部の構成を拡大して示す図である。
【符号の説明】
【００６５】
１  吸収性物品、２  外装材、２ａ  脚周り部、３  吸収部材、６  前部、７  後部、８  股部、８ａ  股下部、９  サイド接合部、１１  ウエスト用開口部、１２Ｌ，１２Ｒ  脚用開口部、１６，１７  ウエスト用弾性部材、１８，１９  脚用弾性部材、２０，２１  ボディ用弾性部材、２６，２７  シート材、３１  吸収体、３２  本体部、３３  起立部、３４  起立用弾性部材、４１  筋状塗布部、５１  外装材連続体、５２  刃ロール、５３  アンビルロール、５６  塗工ヘッド部、５７  ホットメルト接着剤、５８  櫛刃状部材、６１  筋状塗布部、６２  面状塗布部。
【図１】
2008212278.tif 000003
【図２】
2008212278.tif 000004
【図３】
2008212278.tif 000005
【図４】
2008212278.tif 000006
【図５】
2008212278.tif 000007
【図６】
2008212278.tif 000008
【図７】
2008212278.tif 000009
【図８】
2008212278.tif 000010
【図９】
2008212278.tif 000011
【図１０】
2008212278.tif 000012
【図１１】
2008212278.tif 000013
【図１２】
2008212278.tif 000014